(57)【要約】【課題】製品説明等を表示する十分な表示スペースをその側面に確保でき、見栄えよく陳列でき、バイアル等を容易に取り出せ、バイアル等をその頭部に製品説明書を被せた状態で包装箱の底部側開口部に挿入して円滑に収容できるようにする。【解決手段】各底部フラップ９のうち対向する一対の底部フラップ９には底部ホルダー１０がそれぞれ設けられる。各底部ホルダー１０は、底部フラップ９に連設する内壁部１１と、内壁部１１に連設する上壁部１２と、上壁部１２に連設し、かつ底部フラップ９を連設した側板３，４の内面に固定した固定板１３とを有する。底部フラップ９がその底部フラップ９を連設した右側板４と同一平面上に配置している場合、底部ホルダー１０の内壁部１１及び上壁部１２は各底部フラップ９に折り重なる。【選択図】図４
2008155977.tif 000002
【特許請求の範囲】
【請求項１】
前後左右の各側板（１，２，３，４）によって構成された箱胴部（５）と、前記箱胴部（５）の上端に連設された蓋部（６）と、前記箱胴部（５）の下端に連設された底部（７）とを備えた包装箱であって、
前記底部（７）は前記各側板（１，２，３，４）の下端に連設する各底部フラップ（９）から構成され、
前記各底部フラップ（９）のうち対向する一対の底部フラップ（９）にそれぞれ底部ホルダー（１０）が設けられ、
前記各底部ホルダー（１０）は、前記底部フラップ（９）に連設する内壁部（１１）と、前記内壁部（１１）に連設する上壁部（１２）と、前記上壁部（１２）に連設し、かつ前記底部フラップ（１０）を連設した前記側板（３，４）の内面に固定した固定板（１３）とを有し、
前記内壁部（１１）は前記底部フラップ（９）を連設した前記側板（３，４）と略平行であり、前記上壁部（１２）は前記底部フラップ（９）と略平行であり、
前記底部フラップ（９）を前記箱胴部（５）の外向きに開いてこの底部フラップ（９）を連設した前記側板（３，４）に対して同一平面上に配置させた状態では、前記各内壁部（１１）及び前記各上壁部（１２）は前記各底部フラップ（９）に折り重なるように構成した包装箱。
【請求項２】
前記各底部ホルダーの前記内壁部（１１）は先端側内壁部（１１ａ）と中間側内壁部（１１ｂ）とから構成され、前記先端側内壁部（１１ａ）は前記底部フラップ（９）の先端縁に連設し、前記中間側内壁部（１１ｂ）は固定片（２１）を介して前記底部フラップ（９）の内面に固定されている、請求項１に記載の包装箱。
【請求項３】
前記各底部ホルダー（１０）の上壁部（１２）は平面視で略コ字型であり、その略コ字型の両先端部それぞれに一対の前記先端側内壁部（１１ａ）を連設し、その略コ字型の中間部に前記中間側内壁部（１１ｂ）を連設し、前記底部フラップ（９）を前記箱胴部（５）の内向きに折り曲げて前記箱胴部（５）の底部側の開口部を閉じた状態では、前記各上壁部（１２）の略コ字型の開放側が互いに対向する構成である、請求項１又は請求項２に記載の包装箱。
【請求項４】
前記底部ホルダー（１０）を設けた前記底部フラップ（９）はフラップ開閉用の折り目（ｒ１，ｒ４）を介して前記箱胴部（５）の外向きに開かれ、
前記上壁部（１２）において前記中間内壁部（１１ｂ）との連設箇所に沿ってこの上壁部（１２）を横切るホルダー開閉用の折り目（ｓ５）を付け、前記底部フラップ（９）を前記箱胴部（５）の外向きに開いてこの底部フラップ（９）を連設した側板（３，４）と同一平面上に配置させた状態において、前記ホルダー開閉用の折り目（ｓ５）を前記フラップ開閉用の折り目（ｒ１，ｒ４）に重複させた構成である、請求項２又は請求項３に記載の包装箱。
【発明の詳細な説明】
【技術分野】
【０００１】
本発明は、バイアル等を安全に収容する包装箱に関し、詳細には、収容した上記バイアル等を箱内部において安全に保持するホルダーを備えた包装箱に関する。
【背景技術】
【０００２】
従来技術には、バイアル等を嵌め込むホルダーを備えた包装箱がある（特許文献１を参照）。この包装箱は側板が立体化すると共にその側板に連設する底部フラップが組み合わさって底部を形成する。この底部を形成するとき底部フラップに連設したホルダーが立体化される（特許文献１の図１を参照）。
【０００３】
【特許文献１】特開平０８−０９１３５１号公報
【発明の開示】
【発明が解決しようとする課題】
【０００４】
ここで一般にバイアルを縦置き状態で縦長の包装箱に収容する場合、バイアルの上部に製品説明書を配置した状態で包装箱内に収容される。この場合、包装箱の上端開口部からバイアルを収容した後に製品説明書を収容しようとすると、バイアルにより包装箱内における収容空間が狭くなっているので、後から製品説明書を収容するのが困難となる。これを避けるため、予めバイアルの頭部に製品説明書を被せ、その状態で包装箱の底部側開口部から挿入して収容する方法が採用されている。
【０００５】
また一方で、バイアル等が小さくとも包装箱の側面に十分な表示スペースを確保し、かつ異なるサイズのバイアル等を収容する包装箱をその高さを揃えて見栄えよく陳列するため、収容すべきバイアル等のサイズに関わらず包装箱を高くし（その包装箱の長手方向に長くし）、その側面積を大きくすることが望まれている。
【０００６】
この場合バイアル等に比較してその包装箱の長手方向を長くするので、収容したバイアル等を包装箱内において安全に保持するホルダーが必要となる。そしてバイアル等を包装箱から容易に取り出せるように、そのホルダーは、包装箱の底部に配置してバイアル等を底上げし、その頭部を包装箱上側に近付けておくことが望ましい。
【０００７】
従来技術の包装箱ではその包装箱の立体化と共にその底部においてホルダーが立体化する。このため、そのホルダーが包装箱の底部側の開口部からバイアル等が挿入するのを妨げ、バイアル等を包装箱内に円滑に収容することが困難になる。
【０００８】
本発明は、バイアル等のサイズに関わらず製品説明等を表示する十分な表示スペースをその側面に確保でき、見栄えよく陳列でき、バイアル等を容易に取り出せ、バイアル等をその頭部に製品説明書を被せた状態で包装箱の底部側開口部に挿入して円滑に収容できる包装箱を提供することを目的とする。
【課題を解決するための手段】
【０００９】
請求項１に係る発明は、前後左右の各側板（１，２，３，４）によって構成された箱胴部（５）と、前記箱胴部（５）の上端に連設された蓋部（６）と、前記箱胴部（５）の下端に連設された底部（７）とを備えた包装箱であって、前記底部（７）は前記各側板（１，２，３，４）の下端に連設する各底部フラップ（９）から構成され、前記各底部フラップ（９）のうち対向する一対の底部フラップ（９）にそれぞれ底部ホルダー（１０）が設けられ、前記各底部ホルダー（１０）は、前記底部フラップ（９）に連設する内壁部（１１）と、前記内壁部（１１）に連設する上壁部（１２）と、前記上壁部（１２）に連設し、かつ前記底部フラップ（１０）を連設した前記側板（３，４）の内面に固定した固定板（１３）とを有し、前記内壁部（１１）は前記底部フラップ（９）を連設した前記側板（３，４）と略平行であり、前記上壁部（１２）は前記底部フラップ（９）と略平行であり、前記底部フラップ（９）を前記箱胴部（５）の外向きに開いてこの底部フラップ（９）を連設した前記側板（３，４）に対して同一平面上に配置させた状態では、前記各内壁部（１１）及び前記各上壁部（１２）は前記各底部フラップ（９）に折り重なるように構成した包装箱である。
【００１０】
請求項２に係る発明は、請求項１に係る発明において、前記各底部ホルダーの前記内壁部（１１）は先端側内壁部（１１ａ）と中間側内壁部（１１ｂ）とから構成され、前記先端側内壁部（１１ａ）は前記底部フラップ（９）の先端縁に連設し、前記中間側内壁部（１１ｂ）は固定片（２１）を介して前記底部フラップ（９）の内面に固定されている。
【００１１】
請求項３に係る発明は、請求項１又は請求項２に係る発明において、前記各底部ホルダー（１０）の上壁部（１２）は平面視で略コ字型であり、その略コ字型の両先端部それぞれに一対の前記先端側内壁部（１１ａ）を連設し、その略コ字型の中間部に前記中間側内壁部（１１ｂ）を連設し、前記底部フラップ（９）を前記箱胴部（５）の内向きに折り曲げて前記箱胴部（５）の底部側の開口部を閉じた状態では、前記各上壁部（１２）の略コ字型の開放側が互いに対向する構成である。
【００１２】
請求項４に係る発明は、請求項２又は請求項３に係る発明において、前記底部ホルダー（１０）を設けた前記底部フラップ（９）はフラップ開閉用の折り目（ｒ１，ｒ４）を介して前記箱胴部（５）の外向きに開かれ、前記上壁部（１２）において前記中間内壁部（１１ｂ）との連設箇所に沿ってこの上壁部（１２）を横切るホルダー開閉用の折り目（ｓ５）を付け、前記底部フラップ（９）を前記箱胴部（５）の外向きに開いてこの底部フラップ（９）を連設した側板（３，４）と同一平面上に配置させた状態において、前記ホルダー開閉用の折り目（ｓ５）を前記フラップ開閉用の折り目（ｒ１，ｒ４）に重複させた構成である。
【発明の効果】
【００１３】
本発明は、底部ホルダーによりバイアル等を底上げした状態で安全に収容できるので、収容すべきバイアル等のサイズに比較して包装箱を高くできる（その長手方向に長くできる）。このため収容すべきバイアル等が小さくとも製品説明等を表示する十分なスペースを包装箱の側面に確保できる。また収容すべきバイアル等のサイズが異なった包装箱の高さを揃えることができ、それら包装箱を見栄えよく陳列できる。そして包装箱においてバイアル等が底上げ状態で収容されているので、包装箱からバイアル等を容易に取り出すことができる。
【００１４】
さらに本発明では、底部フラップを開けて各側板に対して同一平面上に配置させると、底部フラップに設けられた底部ホルダーの内壁部及び上壁部が底部フラップに折り重なるので、底部ホルダーの内壁部及び上壁部によりバイアル等の底部側開口部への挿入を妨げない。このためバイアル等をその頭部に製品説明書等を被せた状態で底部側開口部に挿入でき、このバイアル等の底部側開口部への挿入によりバイアル等を包装箱内に円滑に収容することができる。
【００１５】
各底部ホルダーの内壁部を先端側内壁部と中間側内壁部とから構成し、先端側内壁部を底部フラップの先端縁に連設し、中間側内壁部を固定片を介して底部フラップの内面に固定している場合、各底部ホルダーの上壁部をその上壁部の先端側を先端側内壁部により支持しているだけでなく、その上壁部の中間部を中間側内壁部により支持しているので、各上壁部の折れ曲がりに対する抵抗を高めることができる。
【００１６】
各底部ホルダーの上壁部を平面視で略コ字型に形成し、その略コ字型の両先端部それぞれに一対の先端側内壁部を連設し、その略コ字型の中間部に中間側内壁部を連設し、底部フラップを箱胴部の内向きに折り曲げて箱胴部の底部側の開口部を閉じた状態で各上壁部の略コ字型の開放側が互いに対向するように構成した場合、バイアル等をこれら対向した状態の上壁部に載置させると、各中間側内壁部がそれぞれの上壁部の中央付近に位置することから載置したバイアル等の荷重が各上壁部の先端側内壁部及び中間側内壁部にバランスよく分散する。このためバイアル等を収容した場合の各底部ホルダーの強度を向上させることができる。しかも、これら底部ホルダーによってバイアル等を安定した状態で支えることができる。
【００１７】
底部ホルダーを設けた底部フラップはフラップ開閉用の折り目を介して箱胴部の外向きに開かれ、上壁部において中間内壁部との連設箇所に沿ってこの上壁部を横切るホルダー開閉用の折り目を付け、底部フラップを箱胴部の外向きに開いてこの底部フラップを連設した側板と同一平面上に配置させた状態において、ホルダー開閉用の折り目をフラップ開閉用の折り目に重複させて構成した場合には、底部フラップを連設した側板の内面に対してその底部フラップ及び上壁部を１８０度より大きい角度を為すように箱胴部の外向きに折り曲げることができる。これにより底部ホルダー及びこの底部ホルダーを設けた底部フラップが包装箱の底部側開口部に平面視で重ならず、バイアル等を包装箱の底部側開口部から円滑に収納することができる。
【発明を実施するための最良の形態】
【００１８】
以下、本発明の実施形態について図面に基いて説明する。
図１は、本実施形態の包装箱の一例の要部破断斜視図であり、その包装箱の底部側の開口部を部分的に閉じた状態を示す。図２は図１の包装箱内にバイアルを収容した状態を示す正面断面図であり、図３は図１の包装箱の要部拡大図である。
【００１９】
上記包装箱は、前後左右の各側板１，２，３，４によって構成された箱胴部５と、箱胴部５の上端に連設された蓋部６と、箱胴部５の下端に連設された底部７とを備える。前側板１の上部にはミシン目２２を形成されている。包装箱を蓋部６によって蓋した後にバイアルＶを取り出すときは、このミシン目２２を破って包装箱の蓋部６を開けて箱胴部５の蓋部側の開口部から製品説明書と共にバイアルＶを容易に取り出すことができる。
【００２０】
前後左右の各側板１，２，３，４の上端にはそれぞれ蓋部フラップ８が連設されている。左側板３に連設した蓋部フラップ８の先端縁には挿入部１８が連設してあり、右側板４に連設した蓋部フラップ８には切り込み口１９が設けてある。この挿入部１８を切り込み口１９に挿入してそれら左側板３及び右側板４に連設した各蓋部フラップ８を閉じ、その閉じた蓋部フラップ８の上から残りの各蓋部フラップ８を閉じることにより蓋部６を構成する。一方、前後左右の各側板１，２，３，４の下端にはそれぞれ底部フラップ９が連設され、それら底部フラップ９を箱胴部５の内向きに折り曲げることにより組み合わせて底部７を構成する。
【００２１】
各底部フラップ９のうち対向する一対の底部フラップ９には底部ホルダー１０がそれぞれ設けられ、これら底部ホルダー１０により、箱胴部５の底部側の開口部を閉じた状態においてバイアルＶを包装箱内において底上げ状態に固定支持するように構成されている。各底部ホルダー１０は、底部フラップ９に連設する内壁部１１と、内壁部１１に連設する上壁部１２と、上壁部１２に連設し、かつ底部フラップ９を連設した左側板３及び右側板４の内面に固定した固定板１３とを有している。ここで左右の各側板３，４の底部側の端縁からその左右の各側板３，４の内面に固定した固定板１３の底部側の端縁までの距離Ｄ１は内壁部１１の高さＤ２と略同一であり、箱胴部５の底部側の開口部を閉じた状態では、内壁部１１は底部フラップ９を連設した側板３，４と略平行となり、上壁部１２は底部フラップ９と略平行となる。バイアルＶを包装箱に収容した状態においては、底部ホルダー１０に略平行の上壁部１２にバイアルＶの底部を戴置し、その上壁部１２を内壁部１１が支持することでバイアルＶを底上げ状態に固定支持する。
【００２２】
内壁部１１は一対の先端側内壁部１１ａと中間側内壁部１１ｂとから構成され、先端側内壁部１１ａは底部フラップ９の先端縁に連設し、中間側内壁部１１ｂは固定片２１を介して底部フラップ９の内面に固定されている。一対の先端側内壁部１１ａは底部フラップ９の先端縁の中間部を挟んで両隣にそれぞれ連設されている。底部フラップ９の先端縁の中間部には固定片２１が連設され、その固定片２１は底部フラップ９の内面に固定されている。固定片２１の内側端縁には中間側内壁部１１ｂが連設されている。
【００２３】
各底部ホルダー１０の上壁部１２は平面視で略コ字型であり、箱胴部５の底部側開口部を閉じた状態では、各上壁部１２の略コ字型の開放側が互いに対向する構成である。その略コ字型の両先端部それぞれには一対の先端側内壁部１１ａが連設され、その略コ字型の中間部には中間側内壁部１１ｂが連設されている。
【００２４】
図４は、図１の包装箱の底部側の開口部が開いている状態におけるその包装箱の要部拡大図である。図４（ａ）は底部フラップ９が箱胴部５の外向きに開いてその底部フラップ９を連設した左側板３と同一平面上に配置している状態を示す。図４（ｂ）は底部フラップ９が箱胴部５の外向きにこの底部フラップ９が連設する左側板３の内面から１８０度より大きく開いた状態を示す。なお図４に示した底部フラップ９及びその底部フラップ９に設けた底部ホルダー１０の構成は、固定板１３の蓋部側先端の形状を除くと、右側板４に連設した底部フラップ９及びとその底部フラップ９に設けた底部ホルダー１０の構成と同一である。
【００２５】
図４（ａ）に示すように、底部フラップ９がその底部フラップ９を連設した左側板３と同一平面上に配置している場合、底部ホルダー１０の内壁部１１及び上壁部１２は各底部フラップ９に折り重なる。ここで底部フラップ９と左側板３との連設箇所においてフラップ開閉用の折り目ｒ１を付け、このフラップ開閉用の折り目ｒ１を介して底部フラップ９を側板に対して折り曲がるようにしている。その底部フラップ９に連設した底部ホルダー１０の上壁部１２において中間側内壁部１１ｂとの連設箇所に沿ってこの上壁部１２を横切るホルダー開閉用の折り目ｓ５を付け、このホルダー開閉用の折り目ｓ５を介してその底部ホルダー１０を側板に対して折れ曲げるようにしている。そしてこのフラップ開閉用の折り目ｒ１とホルダー開閉用の折り目ｓ５とを、上記折り重なり状態（底部フラップ９を箱胴部５の外向きに開いてこの底部フラップ９を連設した側板と同一平面上に配置させた状態）において重複させている。この重複により、図４（ｂ）に示すように、底部ホルダー１０を連設させた底部フラップ９を箱胴部５の外向きにこの底部フラップ９が連設する側板の内面から１８０度より大きな角度を為すように開くことができる。
【００２６】
図５は後側板２を上向き状態にして包装箱をその包装箱の底部側から示した図であり、図６は図５に示した底部側の開口部にバイアルの頭部からその頭部に製品説明書を被せた状態で挿入する状態を示した図である。
【００２７】
図５に示されるように包装箱の内部空間は、左側板３に平行に離隔した保持板部１５により収容空間Ｈ１と保持空間Ｈ２とに仕切られている。収容空間Ｈ１にはバイアルＶを収容し、そのバイアルＶを保持板部１５によりそのバイアルＶの側面から保持する。収容空間Ｈ１はバイアルＶのサイズに合わせて仕切られている。このため前後の各側板１，２の幅をバイアルＶの幅より広く設定してもバイアルＶがガタツクことがなく、しかも包装箱の幅方向においてバイアルＶのサイズより広い表示スペースを製品説明等のために確保することができる。また保持空間Ｈ２には保持板部１５に連設するガイドフラップ１７を折り込んであるので、ガイドフラップ１７を連設した保持板部１５の端縁が滑らかになっている。
【００２８】
図６に示されるように包装箱の収容空間Ｈ１にバイアルＶを収容する場合、各底部フラップ９を前後左右の各側板１，２，３，４の内面から１８０度より大きく箱胴部の外向きに開き、バイアルＶに包装箱の各底部フラップ９が接触するのを避ける。ここで底部フラップ９に連設した底部ホルダー１０の折り目Ｓ５には、左側板３及び右側板４に対して外向きに１８０度より大きな角度で開けることにより山折りの折り癖が付される。
【００２９】
各底部フラップ９を外向きに開いた包装箱内には、バイアルＶの頭部に予め折り畳んだ製品説明書ＥをＵ字状にして被せてそのＵ字の両端部が包装箱の前側板１及び後側板２に接するような姿勢でバイアルＶを収容する。この製品説明書Ｅはその幅においてバイアルＶの胴部の直径より小さく折り畳まれている。このためバイアルＶの胴部の側面に貼った表示ラベルＬが保持板部１５の底部側の端縁に接触するが、その端縁に連設したガイドフラップ１７を折り返すことでその端縁を滑らかにしているのでその表示ラベルＬがその端縁に引っ掛かることはない。
【００３０】
次いで、左側板３及び右側板４に連設した底部フラップ９を折り目ｒ１，ｒ４を介して箱胴部５の内向きに折り曲げることにより、その底部フラップ９に連設した底部ホルダー１０の先端側内壁部１１ａ及び中間側内壁部１１ｂを底部フラップ９に対して立ち上げる（図３を参照）。これら先端側内壁部１１ａ及び中間側内壁部１１ｂの立ち上げは、各底部ホルダー１０の折り目Ｓ５に予め山折りの折り癖を付してあるので確実に為される。従って、バイアルＶを機械作業で自動的に包装箱に包装する場合に底部ホルダー１０を蓋するだけで先端側内壁部とともに中間側内壁部１１ｂが確実に立ち上がり、その作業効率の向上が図られる。
【００３１】
そして前側板１に連設した底部フラップ９を折り目ｒ３を介して閉じてから後側板２に連設した底部フラップ９を折り目ｒ２を介して閉じることにより包装箱の底部側の開口部を閉じる。
【００３２】
次に、本実施形態の包装箱の構成を図７に示した図１の包装箱の包装箱用台紙の展開図を用いて説明する。なお図７は包装箱用台紙の展開図をその包装箱の内面（裏面）から示しているので、図７の平面視においては左側板３が前側板１の右側に位置し、右側板４が前側板１の左側に位置している。
【００３３】
図７の平面視において前側板１の右側には折り目ｐ１，ｐ２を介して左側板３及び後側板２が順に連設し、前側板１の左側には折り目ｐ３，ｐ４，ｐ５，ｐ６を介して右側板４、第１固定板１４、保持板部１５、第２固定板１６が順に連設してある。前側板１に形成されたミシン目２２は前側板１と蓋部フラップ８との連設箇所に付けた折り目ｑ３の左端から右下がりに傾斜し、途中で折れ曲がって折り目ｑ３に平行になり、再び折れ曲がって右上がりに傾斜して折り目ｑ３の右端に至る。また保持板部１５の下側の先端は右上がりに傾斜し、その傾斜した先端には折り目ｒ５を介してガイドフラップ１７が連設してある。
【００３４】
前後左右の各側板１，２，３，４の上端には蓋部フラップ８が折り目ｑ１，ｑ２，ｑ３，ｑ４を介してそれぞれ連設してある。左側板３に連設した蓋部フラップ８の先端には挿入部１８が連設し、右側板４に連設した蓋部フラップ８の上部には挿入部１８を挿入するための切込み口１９が設けられている。
【００３５】
前後左右の各側板１，２，３，４の下端に底部フラップ９が折り目ｒ１，ｒ２，ｒ３，ｒ４を介してそれぞれ連設してある。左側板３及び右側板４にそれぞれ連設した各底部フラップ９には折り目ｒ１，ｒ４を介して底部ホルダー１０が連設してあり、底部ホルダー１０には一対の先端側内壁部１１ａと中間側内壁部１１ｂとを形成する切込み線２０が入れてある。各底部ホルダー１０をそれぞれ連設した底部フラップ９の先端縁の中間部の両隣にはそれぞれ折り目ｓ１，ｓ２，ｓ３を介して先端側内壁部１１ａ、上壁部１２及び固定板１３が順に連設してある。各底部ホルダー１０をそれぞれ連設した底部フラップ９の先端縁の中間部には折り目ｓ１，ｓ４，ｓ５，ｓ３を介して固定片２１、中間側内壁部１１ｂ、上壁部１２及び固定板１３が順に連設してある。左側板３に連設した底部ホルダー１０の固定板１３の先端は右下がりに傾斜している。
【００３６】
次に、図７に示した包装箱用台紙を折り曲げてバイアルＶを収容する状態に包装箱を製作する手順を示す。図８から図１１まではその包装箱を製作するまでの中間過程を示し、図８〜図１１の矢印は折り曲げ方向を示す。まず図７の状態から折り目ｓ１を谷折りにして折り目ｒ１，ｒ４と折り目ｓ５とを重複させた状態で、図８に示すように各底部ホルダー１０の固定板１３の内面をその各底部ホルダー１０を連設した左側板３及び右側板４の内面にそれぞれ糊付け固定する。
【００３７】
次いで折り目ｐ５を谷折りにし、保持板部１５を第１固定板１４に折り重ね、第２固定板１６を右側板４に折り重ねる（図９参照）。これら保持板部１５及び第２固定板１６を折り重ねた状態で保持板部１５のガイドフラップ１７を折り目ｒ５を介して保持板部１５の外面側に折り返す。このガイドフラップ１７を折り返した状態で折り目Ｐ３を谷折りにし、保持板部１５を左側板３に折り重ね、第２固定板１６を前側板１に折り重ねる。この第２固定板１６の折り重ねにより、前側板１の内面には第２固定板１６の外面の糊付け部１６ａを介して第２固定板１６の外面が糊付け固定される（図１０参照）。次いで折り目Ｐ２を谷折りにすることにより後側板２の内面をその内面の糊付け部２ａを介して第１固定板１４の外面に糊付け固定する（図１１参照）。
【００３８】
この図１１に示された折り畳み状態の包装箱にバイアルＶを収容する場合、その包装箱の左右両側から図１１の矢印で示すように力Ｆを加えることにより、前側板１及び後側板２に対して垂直になるまで左側板３及び右側板４を立ち上がらせて包装箱を立体化する（図５及び図６参照）。次いで蓋部６を蓋すると共にバイアルＶを包装箱に収容した後、底部フラップ８を折り曲げて底部７を形成する（図１及び図３参照）。このとき底部ホルダー１０が立体状に形成され、バイアルＶが支持される（図２参照）。
【００３９】
なお本実施形態の包装箱は、包装箱の第１固定板１４に保持板部１５及び第２固定板１６を順次連設してその包装箱内に保持板部１５を配置させるように構成しているが、本発明はこの構成に限定されない。保持板部１５及び第２固定板１６を備えず、第１固定板１４の外面を後側板２の内面に糊付け固定して前後左右の各側板から包装箱の箱胴部５を構成してもよい。
【００４０】
本実施形態の包装箱の底部ホルダー１０は内壁部１１として一対の先端側内壁部１１ａ及び一つの中間側内壁部１１ｂを有しているが、本発明はこの内壁部の構成に限定されない。底部フラップ９の先端縁の両端に一対の先端側内壁部１１ａを連設し、一対の先端側内壁部１１ａの間に単数又は複数の先端側内壁部１１ａを設け、それら先端側内壁部１１ａの間の底部フラップ９の先端縁に固定片２１をそれぞれ連設し、それら各固定片２１に中間側内壁部１１ｂをそれぞれ連設する構成にしてもよい。この場合、上壁部１２は上記先端側内壁部１１ａ及び中間側内壁部１１ｂを連設させるような構成にする。
【図面の簡単な説明】
【００４１】
【図１】本実施形態の包装箱の一例の要部破断斜視図であり、その包装箱の底部側の開口部を閉じた状態を示す。
【図２】図２は包装箱の後側板を上向き状態にしてその包装箱内にバイアルを収容した状態を示す正面断面図である。
【図３】図１の包装箱の要部拡大図である。
【図４】図１の包装箱の底部側の開口部が開いている状態におけるその包装箱の要部拡大図である。
【図５】包装箱の底部側から示した図である。
【図６】包装箱の底部側の開口部にバイアルの頭部からその頭部に製品説明書を被せた状態で挿入する状態を示した図である。
【図７】図１の包装箱の包装箱用台紙をその裏面から示した展開図である。
【図８】図７の包装箱用台紙から包装箱を製箱する中間過程を示した図である。
【図９】図７の包装箱用台紙から包装箱を製箱する中間過程を示した図である。
【図１０】図７の包装箱用台紙から包装箱を製箱する中間過程を示した図である。
【図１１】図７の包装箱用台紙から包装箱を製箱する中間過程を示した図である。
【符号の説明】
【００４２】
１…前側板
２…後側板
３…左側板
４…右側板
５…箱胴部
６…蓋部
７…底部
８…蓋部フラップ
９…底部フラップ
１０…底部ホルダー
１１…内壁部
１１ａ…先端側内壁部
１１ｂ…中間側内壁部
１２…上壁部
１３…固定板
２１…固定片
ｒ１，ｒ４…フラップ開閉用の折り目
ｓ５…ホルダー開閉用の折り目
【図１】
2008155977.tif 000003
【図２】
2008155977.tif 000004
【図３】
2008155977.tif 000005
【図４】
2008155977.tif 000006
【図５】
2008155977.tif 000007
【図６】
2008155977.tif 000008
【図７】
2008155977.tif 000009
【図８】
2008155977.tif 000010
【図９】
2008155977.tif 000011
【図１０】
2008155977.tif 000012
【図１１】
2008155977.tif 000013